(57)【要約】      （修正有）【課題】腹圧呼吸練習用の呼吸関連筋強化の力点具。【解決手段】Ｄ型マウスピース１０の内側１１が人の下歯列の外縁を形成する円曲線を覆う形状をなし、その縁１２から底面中央部分に向かってかまぼこ状に厚みを増していく。Ｏ型マウスピースはカム形状をした物であり、その上部が人の口蓋前部を覆う膨らみ形状をなし、その中央部が先端から幅広部分に向かって厚みを増していく形状を為していて、その下部２３もその縁から中央部分に向かって厚みを増していく形状を為している。Ｔ型マウスピースの上部の内側３１が上歯列の外縁を形成する円曲線を覆う形状の水平部で、水平部３０ａの中央下部から下方向にデルタ状に広がり且つその下部に向かって厚みを増していくデルタ状部分からなる垂直部である。【選択図】図１
0003138043.tif 000002
【実用新案登録請求の範囲】
【請求項１】
軟性合成樹脂製又はゴム製の長尺楕円形の板状物であってその内側が人の下歯の前歯を中心とした一並びの下歯列の外縁を形成する円曲線を覆う形状をなす板状物でありその板状物の縁から底面中央部分に向かって厚みを増していく形状をなすＤ型マウスピース、該Ｄ型マウスピースを使用して訓練した後に使用されるものであって軟性合成樹脂製又はゴム製のカム形状物でありその上部が人の口蓋前部を覆う膨らみ形状をなしさらにそのカム状形物の下部もその縁から底面中央部分に向かって厚みを増していく形状を為しその上そのカム形状物の中央部が先端から幅広部分方向にに向かって厚みを増していく形状をなすＯ型マウスピース、該Ｏ型マウスピースを使用して訓練した後に使用されるものであって軟性合成樹脂製又はゴム製でその上部が長尺板状物でありその上部内側が人の上歯の前歯を中心とした一並びの上歯列の外縁を形成する円曲線を覆う形状を為す水平部とこの水平部の中央下部から下方向にデルタ状に広がり且つ下部に向かって厚みを増していきこのデルタ状部分の内側が下歯の前歯を中心とした一並びの下歯列の中心付近の外縁を形成する円曲線を覆う形状を為した垂直部から成るＴ型マウスピース、より構成されることを特徴とした腹圧呼吸訓練補助用マウスピース。
【考案の詳細な説明】
【技術分野】
【０００１】
本考案は、広くは呼吸訓練用の補助具に関するものであり、特に腹圧呼吸の訓練用の補助具に関するものである。就中、その腹圧呼吸の訓練をするための補助具としてのマウスピースに関するものである。
【背景技術】
【０００２】
呼吸は、生物にとっては、水や栄養とは比較にならないほどに重要なもので、一時も休むことの出来ないものである。そして、呼吸は、心身の状態と密接に結びついている。特に、腹圧呼吸は副交感神経を刺激するので、免疫力を高める。さらに、腹圧呼吸は横隔膜の動きを強力にするため、内臓に上下運動をさせ内臓の働きを活性化する。この外、内臓を刺激することによって内臓脂肪をなくし、肥満症の解消に効果がある。その上、老化の原因になっている活性酸素やストレスの害を防ぐ。そして、その効果として呼吸器官の若返りに効果的である。人間の老化はまず呼吸器官から衰えると言われている。
【０００３】
一般に行っている腹式呼吸法では横隔膜を上・下させて呼吸する。息を吸う時は横隔膜が下がり、息を吐くと横隔膜が胸の方へ上がる。腹式呼吸法は人間が生まれた時から無意識の中に行っていて、だれもがこの呼吸で生きている。腹圧呼吸法が腹式呼吸法と大きく違う点は、横隔膜を上・下させないで呼吸することである。そのために息は吐く時が大切である。息は吐いてから吸うので、一般の呼吸法と逆になる。腹圧呼吸で息を吐く時は、横隔膜を上げないで、反対に横隔膜を下降させて吐く。この時の力学は、横隔膜を収縮させ、ドーム状に減じて平坦に下降させて息を吐く。次に息を吸う時は横隔膜の力を弛緩させ、主に脇腹の力で吸気する要領で行う。これはちょうど魚が鰓を横に開いて呼吸するのに似ている。これに対して、腹圧呼吸を行うには、顎と口を引き、これを起点にして訓練することによって可能である。この目的のためマウスピースを使用して訓練を行う。訓練は顎を起点にして下降エネルギーを丹田部に通す要領で行う。この訓練によって体内エネルギーが下降エネルギーに変わる。また腹圧呼吸によって日常的に体内の上昇エネルギーを解消し、次第に宇宙の引力と一体の下降エネルギーで呼吸ができるようになる。
【特許文献１】特開２００２−２２１８９４
【考案の開示】
【考案が解決しようとする課題】
【０００４】
本願考案に於いて解決しようとする問題点は、特殊な訓練用のマウスピースなどの力点具を用いて腹圧呼吸の訓練をする必要に気づいたことである。すなわち、呼吸に従うエネルギーを置換する訓練が必要となったことである。腹圧呼吸法の効果の秘密は、「横隔膜に強い腹圧をかけ、体内の上昇エネルギーを下降エネルギーに置換する」ことである。もう少し詳しく説明すると、その下降エネルギーを丹田部まで通すことである。これは、横隔膜に強い腹圧をかけてエネルギー置換を効率的に行い、下降エネルギーを丹田部まで通すと言うことである。このことは通常の呼吸だけでは行えない。そこで、強い腹圧を生むために、この呼吸法を得るためにマウスピース（Ｏ形、Ｄ形、Ｔ形）等の力点具を使う必要が生じ、それらを有効に利用したとである。これらの力点具により、丹田力をつけ、横隔膜をよみがえらせ、顎筋を起点にして体内エネルギーを重力エネルギー（下降エネルギー）の方向に置換するのである。腹圧呼吸法は、後述のごとく複数のステップから成り立っている。各ステップでは、目的に応じた力点具を用いる。そのことでエネルギー置換をスムーズに行うとともに、エネルギー置換を習慣づけるものである。
【課題を解決するための手段】
【０００５】
しかして、本考案の根源である腹圧呼吸の訓練をするための補助用具たるマウスピースは、Ｄ型マウスピースとＯ型マウスピースとＴ型マウスピースとから成るものとした。このマウスピースなどの力点具で、エネルギーを置換するのである。腹圧呼吸法の効果の秘密は、「横隔膜に強い腹圧をかけ、体内の上昇エネルギーを下降エネルギーに置換する」ことである。すなわち、その下降エネルギーを丹田部まで通すことである。要するに、横隔膜に強い腹圧をかけてエネルギー置換を効率的に行い、下降エネルギーを丹田部まで通すのである。このことは、通常の呼吸だけでは行えない。そこで、強い腹圧を生むために、この腹圧呼吸法ではマウスピース（Ｏ形、Ｄ形、Ｔ形）等の力点具を使うのである。
これらの力点具により、丹田力をつけ、横隔膜をよみがえらせ、顎筋を起点にして体内エネルギーを重力エネルギー（下降エネルギー）の方向に置換するのである。この腹圧呼吸法は、複数のステップから成り立っている。各ステップでは、目的に応じた力点具を用いる。そのことでエネルギー置換をスムーズに行うとともに、エネルギー置換を習慣づけるのである。
【０００６】
以下に本考案にかかる腹圧呼吸訓練補助用マウスピースの具体的な構成を詳細に記載する。この考案は、腹圧呼吸の訓練の補助具として、以下のマウスピースを用いている。まず、Ｄ型マウスピースがある。このＤ型マウスピースは、軟性合成樹脂製又はゴム製の長尺楕円形の板状物である。そして、その内側が人の下歯の前歯を中心とした下歯列の外縁を形成する円曲線を覆う形状をなす板状物でありその板状物の縁から底面中央部分に向かって厚みを増していく形状をなしている。
【０００７】
つぎに、Ｏ型マウスピースがある。このＯ型マウスピースは、上記のＤ型マウスピースを使用して訓練した後に使用されるものであって、軟性合成樹脂製又はゴム製のカム形状物である。そして、そのカム形状物の上部が人の口蓋前部を覆う膨らみ形状をなし、そのカム形状物の中央部が先端から幅広部分に向かって厚みを増していく形状なしている。さらに、そのカム形状物の下部もその縁から底面中央部分に向かって厚みを増していく形状をなしている。
【０００８】
最後に、Ｔ型マウスピースがある。このＴ型マウスピースは、上記のＯ型マウスピースを使用して訓練した後に使用されるものであって、軟性合成樹脂製又はゴム製でその上部が長尺板状物である。そして、その上部内側が人の上歯の前歯を中心とした一並びの上歯列の外縁を形成する円曲線を覆う形状をなしている水平部と、この水平部の中央下部から下方向にデルタ状に広がり且つその下部に向かって厚みを増していき、このデルタ状部分の内側が下歯の前歯を中心とした一並びの下歯列の中心付近の外縁を形成する円曲線を覆う形状をなしている垂直部から成る。
【考案の効果】
【０００９】
本考案にかかる腹圧呼吸訓練補助用マウスピースは、以上のごとくになしたゆえに、上記の課題を解決して以下のごとき多大な効果が生じた。すなわち、強い腹圧を生むための呼吸法を得るために上記したＤ型とＯ型とＴ型と言うマウスピースの力点具を使い、それらを有効に利用した。これらの力点具により、丹田力をつけ、横隔膜をよみがえらせ、顎筋を起点にして体内エネルギーを重力エネルギー（下降エネルギー）の方向に置換するのである。
【考案を実施するための最良の形態】
【００１０】
本願考案は、腹圧呼吸により丹田力をつけると言う目的を達成させるために、以下に述べる軟性合成樹脂製又はゴム製のその訓練用の補助具を用いたものである。それらは、長尺楕円形の板状物である以下のものである。まず、その内側が人の下歯の前歯を中心とした一並びの下歯列の外縁を形成する円曲線を覆う形状をなす板状物であり、その板状物の縁から底面中央部分に向かって厚みを増していく形状をなしたＤ型マウスピースである。つぎに、カム形状物の先端をその前歯方向に向けその幅広部分をその喉の方向に位置させた状態で使用されそのカム形状物の上部が人の口蓋前部を覆う膨らみ形状をなしたもので、さらにそのカム状形物の下部もその縁から底面中央部分に向かって厚みを増していく形状を為しその上そのカム形状物の中央部が先端から幅広部分方向にに向かって厚みを増していく形状をなしたＯ型マウスピースである。そして、その上部内側が人の上歯の前歯を中心とした一並びの上歯列の外縁を形成する円曲線を覆う形状を為した水平部と、この水平部の中央下部から下方向にデルタ状に広がり且つ下部に向かって厚みを増していく垂直部から成るＴ型マウスピースから成るものである。
【実施例１】
【００１１】
Ｄ型マウスピース
しかして、本考案にかかる腹圧呼吸訓練補助用マウスピースをその具体的な実施例を用いて添付の図面と共に詳細に述べる。この考案は、まず、図１に示す正面図のごとくに、Ｄ型マウスピース１０から成る。このＤ型マウスピース１０は、軟性合成樹脂製又はゴム製のもので、本実施例ではシリコン樹脂製からなり、ほ乳瓶の吸い口に使用されているものである。これは、長尺楕円形の板状物である。そして、図２の平面図のように、その内側１１が人の下歯（図２を参照）の前歯を中心とした一並びの下歯列の外縁を形成する円曲線を覆う形状をなす板状物である。その上に、その板状物の周辺である縁１２から底面中央部分１３に向かってかまぼこ状に厚みを増していく形状をなしている（図３に示す図１の右側面図も参照）。
【００１２】
Ｏ型マウスピース
つぎに、Ｏ型マウスピース２０がある。このＯ型マウスピース２０は、上記のＤ型マウスピース１０を使用して訓練した後に使用されるものである。しかして、これは軟性合成樹脂製又はゴム製のもので、基本的には図４に示す平面図のごとくにカム形状をした物である。しかして、図５に示すその右側面図のようにそのカム形状物の上部２４が人の口蓋２５の口蓋前部２５ａ（図８）を覆うようにその上面中央部分２４が膨らんだ形状をなしている。そして、そのカム形状物の中央部２０ａが先端２１から幅広部分２２に向かって厚みを増していく形状為している（図５参照）。さらに、そのカム形状物の下部２３もその底面中央部分２３ａが膨らんだ形状をしている。
【００１３】
Ｔ型マウスピース
最後に、Ｔ型マウスピース３０がある（図６のこの正面図と図７のこの平面図と図８のこの右側面図を参照）。このＴ型マウスピース３０は、上記のＯ型マウスピース２０を使用して訓練した後に使用されるものであって、軟性合成樹脂製又はゴム製で、その上部は長尺板状物である。このＴ型マウスピース３０は、その上部内側３１が人の上歯の前歯を中心とした上歯列の外縁を形成する円曲線を覆う形状を為している。そして、この水平部３０ａの中央下部から下方向にデルタ状に広がり且つその下部に向かって厚みを増していくデルタ状部分３０ｂから成っている。このデルタ状部分３０ｂの内側３２は、下歯の前歯を中心とした一並びの下歯列の中心付近の外縁を形成する円曲線を覆う形状をなしている。
【図面の簡単な説明】
【００１４】
【図１】本考案にかかる腹圧呼吸訓練補助用マウスピースの一実施例のＤ型マウスピーの正面面を示したものである。
【図２】図１の実施例の平面図を示したものである。
【図３】図１のものの右側面図である。
【図４】本考案にかかる腹圧呼吸訓練補助用マウスピースの一実施例のＯ型マウスピーの正面面を示したものである。
【図５】図６のものの右側面図である。
【図６】本考案にかかる腹圧呼吸訓練補助用マウスピースの一実施例のＴ型マウスピーの正面面を示したものである。
【図７】図６のものの平面図を示したものである。
【図８】図６のものの右側面図を示したものである。
【符号の説明】
【００１５】
１０  Ｄ型マウスピース
１１  板状物内側
１２  板状物の周辺である縁
１３  板状物の底面中央部分
２０  Ｏ型マウスピー
２１  カム形状物の先端
２２  カム形状物の幅広部分
２３  カム形状物の下部
２４  カム形状物の上部
２５  人の口蓋
25ａ  口蓋前部
２６  舌べらの先端
３０  Ｔ型マウスピース
30ａ  Ｔ型マウスピースの水平部
30ｂ  Ｔ型マウスピースのデルタ状部分
３１  上部内側
３２  Ｔ型マウスピースのデルタ状部分の内側
【図１】
0003138043.tif 000003
【図２】
0003138043.tif 000004
【図３】
0003138043.tif 000005
【図４】
0003138043.tif 000006
【図５】
0003138043.tif 000007
【図６】
0003138043.tif 000008
【図７】
0003138043.tif 000009
【図８】
0003138043.tif 000010